【手続補正書】
【提出日】平成21年11月4日(2009.11.4)
【手続補正１】
【補正対象書類名】特許請求の範囲
【補正対象項目名】全文
【補正方法】変更
【補正の内容】
【特許請求の範囲】
【請求項１】
遊技球が打ち込まれる遊技領域が前面に形成された遊技盤と、
該遊技盤に設けられた複数種類の入賞口と、
該複数種類の入賞口のうち予め定められた始動口に遊技球が入賞したことにもとづいて遊技者に所定の利益を付与するか否か判定する当落判定手段と、
該当落判定手段による判定結果にもとづいて少なくとも所定の図柄情報を変動表示する変動表示装置と、
前記当落判定手段により遊技者に利益を付与すると判定したときに遊技者に利益を付与する利益付与状態に制御する利益付与状態制御手段と、を備え、
該利益付与状態制御手段により前記利益付与状態に制御するときに前記変動表示装置にて前記図柄情報の変動表示を開始し、リーチ態様を表示した後、予め定められた特定表示結果を表示する遊技機において、
前記変動表示装置にて前記図柄情報の変動表示を開始し、前記リーチ態様を表示させる第１演出期間と、
前記リーチ態様を表示した状態でリーチ演出を実行し、前記利益付与状態に制御するか否かの表示結果を表示させる第２演出期間と、の演出期間を有し、
遊技の進行を制御するマイクロコンピュータを搭載した主制御手段と、
前記変動表示装置を制御するマイクロコンピュータを搭載した周辺制御手段と、を備え、
前記主制御手段は、
前記当落判定手段と、前記利益付与状態制御手段と、
前記演出期間および前記リーチ演出が設定された複数種類の表示パターンを記憶する表示パターン記憶手段と、
前記当落判定手段による判定結果にもとづいて前記表示パターン記憶手段から前記表示パターンを選択する表示パターン選択手段と、
前記表示パターン選択手段により選択された前記表示パターンを特定する表示パターンコマンドを前記周辺制御手段に送信するコマンド信号送信手段と、を備え、
前記周辺制御手段は、
前記リーチ演出、および、最初の過程から最後の過程までの複数の過程に応じた前記リーチ演出とは別の予告演出態様を記憶する演出態様記憶手段と、
前記表示パターンコマンドから特定される表示パターンにもとづいて前記複数の過程のうち前記最初の過程から所定の過程までに応じた予告演出態様を決定する演出態様決定手段と、
前記表示パターンコマンドから特定される表示パターンに前記リーチ演出が設定されている場合、当該リーチ演出を前記演出態様記憶手段から読み出して前記第２演出期間にて演出表示するとともに、前記演出態様決定手段により決定された予告演出態様を前記演出態様記憶手段から読み出して前記第１演出期間および前記第２演出期間にて演出表示し得る演出態様制御手段と、を備え、
前記演出態様決定手段は、
前記当落判定手段により遊技者に利益を付与すると判定したときに、遊技者に利益を付与すると判定しなかったときよりも高い割合で前記最初の過程から順に前記最後の過程に応じた予告演出態様までを決定するものであって、
前記演出態様制御手段は、
前記第１演出期間にて前記複数の過程のうち前記最後の過程を除いた前記最初の過程から第１過程までを表示可能に構成するものであって、前記第１過程までの各々の過程では次の過程に移行するか否かの予告演出態様を順次表示し得るリーチ前演出態様制御手段と、
前記リーチ前演出態様制御手段により前記第１過程に至るまで次の過程に移行する旨の予告演出態様を順次表示したときに、前記リーチ態様を表示した後、前記リーチ演出の開始に加えて、前記第２演出期間にて前記最後の過程に応じた予告演出態様を表示するリーチ後演出態様制御手段と、を備えることを特徴とする遊技機。
【請求項２】
前記演出態様制御手段は、
前記リーチ前演出態様制御手段により前記第１過程に至るまでの全ての予告演出態様を表示することなく、前記リーチ態様を表示した後、前記リーチ演出の開始に加えて、前記第２演出期間にて前記最後の過程に応じた予告演出態様を表示する突然演出態様制御手段をさらに備えることを特徴とする請求項１記載の遊技機。
【手続補正２】
【補正対象書類名】明細書
【補正対象項目名】０００１
【補正方法】変更
【補正の内容】
【０００１】
本発明は、所定の判定条件が成立したことにもとづいて遊技者に所定の利益を付与するか否か判定する当落判定手段と、該当落判定手段による判定結果にもとづいて少なくとも所定の図柄情報を変動表示する変動表示装置と、前記当落判定手段により遊技者に利益を付与すると判定したときに遊技者に利益を付与する利益付与状態に制御する利益付与状態制御手段と、を備え、該利益付与状態制御手段により前記利益付与状態に制御するときに前記変動表示装置にて前記図柄情報の変動表示を開始し、リーチ態様を表示した後、予め定められた特定表示結果を表示する遊技機に関するものである。
【手続補正３】
【補正対象書類名】明細書
【補正対象項目名】０００４
【補正方法】変更
【補正の内容】
【０００４】
しかしながら、上記したパチンコ機においては、予告演出についても図柄の変動短縮と同期させて短縮制御するように構成してもよいが、予告演出の実行よりも演出動作時間の短縮を優先させることで、演出機能を十分に発揮することができず、演出内容が不十分となり、遊技の興趣が低下する問題点があった。本発明は、上記した事情に鑑みなされたもので、その目的とするところは、予告演出の演出効果を十分に発揮することができ、遊技の興趣の低下を抑制することができる遊技機を提供することにある。
【手続補正４】
【補正対象書類名】明細書
【補正対象項目名】０００５
【補正方法】変更
【補正の内容】
【０００５】
（解決手段１）
遊技球が打ち込まれる遊技領域が前面に形成された遊技盤と、該遊技盤に設けられた複数種類の入賞口と、該複数種類の入賞口のうち予め定められた始動口に遊技球が入賞したことにもとづいて遊技者に所定の利益を付与するか否か判定する当落判定手段と、該当落判定手段による判定結果にもとづいて少なくとも所定の図柄情報を変動表示する変動表示装置と、前記当落判定手段により遊技者に利益を付与すると判定したときに遊技者に利益を付与する利益付与状態に制御する利益付与状態制御手段と、を備え、該利益付与状態制御手段により前記利益付与状態に制御するときに前記変動表示装置にて前記図柄情報の変動表示を開始し、リーチ態様を表示した後、予め定められた特定表示結果を表示する遊技機において、前記変動表示装置にて前記図柄情報の変動表示を開始し、前記リーチ態様を表示させる第１演出期間と、前記リーチ態様を表示した状態でリーチ演出を実行し、前記利益付与状態に制御するか否かの表示結果を表示させる第２演出期間と、の演出期間を有し、遊技の進行を制御するマイクロコンピュータを搭載した主制御手段と、前記変動表示装置を制御するマイクロコンピュータを搭載した周辺制御手段と、を備え、前記主制御手段は、前記当落判定手段と、前記利益付与状態制御手段と、前記演出期間および前記リーチ演出が設定された複数種類の表示パターンを記憶する表示パターン記憶手段と、前記当落判定手段による判定結果にもとづいて前記表示パターン記憶手段から前記表示パターンを選択する表示パターン選択手段と、前記表示パターン選択手段により選択された前記表示パターンを特定する表示パターンコマンドを前記周辺制御手段に送信するコマンド信号送信手段と、を備え、前記周辺制御手段は、前記リーチ演出、および、最初の過程から最後の過程までの複数の過程に応じた前記リーチ演出とは別の予告演出態様を記憶する演出態様記憶手段と、前記表示パターンコマンドから特定される表示パターンにもとづいて前記複数の過程のうち前記最初の過程から所定の過程までに応じた予告演出態様を決定する演出態様決定手段と、前記表示パターンコマンドから特定される表示パターンに前記リーチ演出が設定されている場合、当該リーチ演出を前記演出態様記憶手段から読み出して前記第２演出期間にて演出表示するとともに、前記演出態様決定手段により決定された予告演出態様を前記演出態様記憶手段から読み出して前記第１演出期間および前記第２演出期間にて演出表示し得る演出態様制御手段と、を備え、前記演出態様決定手段は、前記当落判定手段により遊技者に利益を付与すると判定したときに、遊技者に利益を付与すると判定しなかったときよりも高い割合で前記最初の過程から順に前記最後の過程に応じた予告演出態様までを決定するものであって、前記演出態様制御手段は、前記第１演出期間にて前記複数の過程のうち前記最後の過程を除いた前記最初の過程から第１過程までを表示可能に構成するものであって、前記第１過程までの各々の過程では次の過程に移行するか否かの予告演出態様を順次表示し得るリーチ前演出態様制御手段と、前記リーチ前演出態様制御手段により前記第１過程に至るまで次の過程に移行する旨の予告演出態様を順次表示したときに、前記リーチ態様を表示した後、前記リーチ演出の開始に加えて、前記第２演出期間にて前記最後の過程に応じた予告演出態様を表示するリーチ後演出態様制御手段と、を備えることを特徴とする遊技機。
【手続補正５】
【補正対象書類名】明細書
【補正対象項目名】０００６
【補正方法】変更
【補正の内容】
【０００６】
ここで、遊技領域とは、遊技領域１２であり、遊技盤とは、遊技盤４である。また、複数種類の入賞口とは、一般入賞口１３、第１始動口７２、第２始動口７３等である。また、予め定められた始動口とは、第１始動口７２および第２始動口７３であり、当落判定手段とは、主基板１０１に搭載されるＣＰＵ１０２の機能であって、大当り判定処理を実行して大当り判定乱数と大当り判定値とが一致するか否かにもとづいて大当りとするか否かを判定する部分である。所定の図柄情報とは、装飾図柄１５０ａ〜１５０ｃであり、変動表示装置とは、画像表示装置４２である。利益付与状態とは、大当り遊技状態であり、利益付与状態制御手段とは、主基板１０１に搭載されるＣＰＵ１０２の機能であって、大当り遊技処理（ステップＳ４０３）を実行して大当り遊技状態に制御する部分である。特定表示結果とは、大当り図柄（同一の装飾図柄の組み合わせ）であり、遊技機とは、パチンコ機１である。
【手続補正６】
【補正対象書類名】明細書
【補正対象項目名】０００７
【補正方法】変更
【補正の内容】
【０００７】
また、第１演出期間とは、全装飾図柄１５０ａ〜１５０ｃの変動表示が開始されてから（但し、全装飾図柄１５０ａ〜１５０ｃの変動開始タイミングから多少前後してもよい。）、左右の装飾図柄１５０ａ，１５０ｃが停止表示されるまでの期間であり、第２演出期間とは、リーチ態様が表示されてから、全装飾図柄１５０ａ〜１５０ｃが停止表示されるまでの期間である。また、リーチ演出とは、リーチ態様となった後、枠ランプ２７、遊技盤ランプ、画像表示装置４２、上部スピーカ２９、および下部スピーカ１４等により実行される演出（例えば、枠ランプ２７を所定の態様で点灯・点滅、画像表示装置４２にて所定の画像表示、上部スピーカ２９および下部スピーカ１４にて所定の音声出力）である。
【手続補正７】
【補正対象書類名】明細書
【補正対象項目名】０００８
【補正方法】変更
【補正の内容】
【０００８】
また、主制御手段とは、ＣＰＵ１０２を搭載した主基板１０１であり、周辺制御手段とは、統合ＣＰＵ１１２を搭載したサブ統合基板１１１等の周辺基板グループである。また、複数種類の表示パターンとは、変動表示パターンテーブルに設定された変動表示パターンであり、表示パターン記憶手段とは、主基板１０１に搭載されたＲＯＭ１０３である。また、表示パターン選択手段とは、主基板１０１に搭載されるＣＰＵ１０２の機能であって、変動表示パターン設定手段（ステップＳ４１）を実行して変動表示パターンを決定する部分である。また、表示パターンコマンドとは、変動表示パターンコマンドの２バイト目に設定されたコマンドであり、また、コマンド信号送信手段とは、主基板１０１に搭載されるＣＰＵ１０２によってコマンド信号をコマンド伝送出力処理（ステップＳ１９）でサブ統合基板１１１に送信する部分である。
【手続補正８】
【補正対象書類名】明細書
【補正対象項目名】０００９
【補正方法】変更
【補正の内容】
【０００９】
また、複数の過程に応じた予告演出態様とは、発展式予告パターンに設定されたステップ１〜ステップ５に応じた演出態様であり、演出態様記憶手段とは、表示制御基板１２０に搭載された表示ＲＯＭ１２２である。また、所定の過程までに応じた予告演出態様とは、発展式予告パターンに設定された最後のステップ数に応じた演出態様であり、演出態様決定手段とは、表示制御基板１２０に搭載される表示ＣＰＵ１２１の機能であって、予告選択処理（ステップＳ７１７）を実行して発展式予告パターンを決定する部分である。また、演出態様制御手段とは、表示制御基板１２０に搭載される表示ＣＰＵ１２１によって画像表示装置４２にて変動表示パターンにもとづく演出態様や発展式予告パターンにもとづく演出態様等の演出表示を表示制御する部分や、表示制御基板１２０に搭載される表示ＣＰＵ１２１によって画像表示装置４２にて装飾図柄１５０ａ〜１５０ｃの停止表示（リーチ態様や大当り図柄）を表示制御する部分である。
【手続補正９】
【補正対象書類名】明細書
【補正対象項目名】００１０
【補正方法】変更
【補正の内容】
【００１０】
また、最後の過程を除いた第１過程とは、発展式予告パターンに設定されたステップ５を除いたステップ１〜ステップ４であり、リーチ前演出態様制御手段とは、サブ統合基板１１１に搭載される統合ＣＰＵ１１２によって発展式予告パターン番号１〜９の発展式予告パターンを決定し、表示制御基板１２０に搭載される表示ＣＰＵ１２１によって画像表示装置４２にて発展式予告パターンにもとづくステップ１〜ステップ４に応じた演出態様のうち次のステップに移行するステップ１（の一部）、ステップ２−４、ステップ３−４、ステップ４（の一部）に応じた演出態様を表示し得る部分である。また、リーチ後演出態様制御手段とは、サブ統合基板１１１に搭載される統合ＣＰＵ１１２によって発展式予告パターン番号９の発展式予告パターンを決定し、表示制御基板１２０に搭載される表示ＣＰＵ１２１によって画像表示装置４２にて発展式予告パターンにもとづくステップ５に応じた演出態様を表示する部分である。
【手続補正１０】
【補正対象書類名】明細書
【補正対象項目名】００１１
【補正方法】変更
【補正の内容】
【００１１】
この場合、第１演出期間にて複数の過程のうち最後の過程を除いた最初の過程から第１過程までを表示可能に構成するものであって、第１過程までの各々の過程では次の過程に移行するか否かの予告演出態様を順次表示し得るリーチ前演出態様制御手段と、リーチ前演出態様制御手段により第１過程に至るまで次の過程に移行する旨の予告演出態様を順次表示したときに、リーチ態様を表示した後、リーチ演出の開始に加えて、第２演出期間にて最後の過程に応じた予告演出態様を表示するリーチ後演出態様制御手段と、を備えることにより、リーチ態様を表示した後、リーチ演出とともに最後の過程に応じた予告演出態様を遊技者に見せることができる。従って、リーチ態様を表示した後、リーチ演出とともに最後の過程に応じた予告演出態様を遊技者に見せることで、遊技が単調となることがなく、遊技の興趣の低下を抑制することができる。
また、解決手段１において、前記演出態様制御手段は、前記リーチ前演出態様制御手段により前記第１過程に至るまでの全ての予告演出態様を表示することなく、前記リーチ態様を表示した後、前記リーチ演出の開始に加えて、前記第２演出期間にて前記最後の過程に応じた予告演出態様を表示する突然演出態様制御手段をさらに備えることができる。ここで、突然演出態様制御手段とは、サブ統合基板１１１に搭載される統合ＣＰＵ１１２によって発展式予告パターン番号１０の発展式予告パターンを決定し、表示制御基板１２０に搭載される表示ＣＰＵ１２１によって画像表示装置４２にて発展式予告パターンにもとづくステップ１〜ステップ４に応じた演出態様を表示することなく、ステップ５に応じた演出態様を表示する部分である。この場合、リーチ前演出態様制御手段により第１過程に至るまでの全ての予告演出態様を表示することなく、リーチ態様を表示した後、リーチ演出の開始に加えて、第２演出期間にて最後の過程に応じた予告演出態様を表示する突然演出態様制御手段をさらに備えることにより、最後の過程に応じた予告演出態様が演出表示されるかを予測することが困難となり、遊技者に演出内容を注目させることができる。
【手続補正１１】
【補正対象書類名】明細書
【補正対象項目名】０１０９
【補正方法】変更
【補正の内容】
【０１０９】
本発明の遊技機においては、予告演出の演出効果を十分に発揮することができ、遊技の興趣の低下を抑制することができる。